(57)【要約】      （修正有）【課題】複数メンバーで演奏する楽曲において、カラオケ背景映像で歌唱中のオリジナルの歌手にあたかも置き換わって演奏者の中に入って歌唱しているように演奏参加して楽しみを味わう。【解決手段】カラオケで音声の「マイナスワン」と同時に視聴する映像においても、本人映像のみを除いた「マイナスワン」を実現して仮想空間で仲間とライブ演奏している臨場感を味わうようにする。【選択図】図３
2018022121.tif 000002
【特許請求の範囲】
【請求項１】
１乃至複数のパートからなる楽曲のカラオケにおいて、
特定のパートを利用者が演奏する場合に、あらかじめ録画された当該特定のパート以外の演奏中映像を当該パートの撮影視点で、当該パートの音声を除いた音声とともに視聴することにより、
当該録画された演奏の特定パートだけが自分に入れ替わって演奏している感覚を楽しむことができることを特徴とするネットワークカラオケシステム。
【請求項２】
１乃至複数のパートからなる楽曲のカラオケにおいて、
あらかじめ録画された全パートの演奏者の演奏中映像を、追加された仮想的な演奏者の撮影視点で、前記全パートの音声とともに視聴することにより、
当該録画された演奏者たちに自分が加わって演奏している感覚を楽しむことができることを特徴とするネットワークカラオケシステム。
【請求項３】
前記請求項１乃至２記載のカラオケシステムにおいて、
録画された映像が前記撮影視点から見た全方位映像であり、
演奏者がＶＲヘッドマウントディスプレイ（ＨＭＤ）を装着することにより当該全方位映像を楽しむことができることを特徴とする請求項１乃至２記載のネットワークカラオケシステム。
【発明の詳細な説明】
【技術分野】
【０００１】
本発明は、カラオケ演奏において映像を伴うマイナスワンを実現するカラオケシステムに関する。
【背景技術】
【０００２】
近年カラオケの普及に従って、カラオケの楽しみ方が多様化してきている。
もともと一般に通常の伴奏つき歌唱の楽曲から、歌唱のみを抜いた伴奏のみの演奏を、一般客が歌唱してあわせる楽しみがカラオケ歌唱の楽しみであったが、それだけでは飽き足らないニーズもでてきた。
【０００３】
音楽の楽しみ方としては歌唱に限らず、気の置けない仲間達とバンドやアンサンブルをするという楽しみもある。また、そのような仲間がいない場合でもプロのステージに混じって一緒に演奏できればこれはこれで贅沢な楽しみとなる。
【０００４】
上記のようなバンド等で演奏する楽曲で利用者は、歌唱だけでなく複数の楽器やボーカルの中の１パートを演奏し、他のパートはいわゆる「カラオケ」として楽しんだり、バンド仲間と楽しむために自分のパートの個人練習をしたいこともある。
【０００５】
近年のカラオケシステムでは特定のパートの歌唱や楽器演奏の練習を目的として、指定された１つのパートを除く他の演奏パートだけで併奏するマイナスワン演奏が普及している。
【先行技術文献】
【特許文献】
【０００６】
【特許文献１】特開２００５−２３４５９６号公報
【特許文献２】特開２０１４−１６７５７６号公報
【発明の概要】
【発明が解決しようとする課題】
【０００７】
特許文献１は、カラオケ演奏されるパートのうちでミュートできるパートを表示する機能を備え、それを指示することにより容易に好きなパートをミュートしてマイナスワン演奏できるカラオケ装置を提供する。音源カラオケの１６パートの楽音トラックにそれぞれ異なる楽器のシーケンスデータを記憶している。利用者がミュートしたい楽器を指示すると、そのパートをミュートしてマイナスワン演奏をする。このとき、モニタに対して、歌詞テロップに代えて、または、歌詞テロップとともに和音名のテロップを表示する。これにより、マイナスワンでミュートされたパートを演奏する者が楽譜を見なくても和音が判り、この和音に基づいて演奏をすることができる。
【０００８】
特許文献２は、共演画像中における楽器演奏上の自然な配置を実現する。所定の楽曲に対してマイナスワン演奏の対象とするマイナスワン演奏パートのパート種別を、別途撮影した楽器の外観画像から画像認識により自動的に指定するステップの手順と、マイナスワン演奏パートの演奏中画像を撮影するカメラと、を有するカラオケ装置と、撮影した演奏中画像を、曲識別情報及びパート種別情報に対応付けて記録する大容量記憶装置を有するサーバと、で構成されるカラオケシステムであって、マイナスワン演奏する際に、曲識別情報に対応し、且つ、マイナスワン演奏パート以外のパート種別情報に対応してすでに記録されている演奏中画像を抽出し、それらを所定の配置規則に従って碁盤目状に配置したコラボ画像を合成するステップの手順と、共演画像を表示するステップの手順とを備える。
【０００９】
特許文献１は、従来の音声のみのマイナスワン機能の提案であり、音声のみであれば特定パートをミュートしたこのような方法で実現することができる。特許文献２は、マイナスワン演奏パートのパート種別を、別途撮影した楽器の画像を提供するというものである。
【００１０】
そもそもカラオケは、楽曲からボーカルを除いた音源に歌唱者が歌唱することにより当該ボーカル部を埋める、いわゆる音のマイナスワンである。
【００１１】
カラオケ歌唱時の背景映像として使用されるオリジナル歌手の本人映像は違和感なく定着しているが、改めて考えてみるとカラオケの音声では当該オリジナル歌手本人がカラオケ歌唱者に置き換わるのであるから、オリジナル歌手の本人映像が表示されるのは映像においてはマイナスワンになっていないと言える。
これをマイナスワンにするためには、ボーカルパートの映像も抜いて、当該ボーカルパートからの視点で他パートの映像が表示されるという形が考えられる。
【００１２】
さらに近年では歌唱だけでなく楽器等の演奏でカラオケを利用する利用者が増えていることに鑑み、抜く対象もボーカル以外のパートであってもよい。その場合、表示される映像は当該パート視点であることが望ましい。
また特定パートをマイナスワンしたカラオケで、自分が成り代わって演奏するだけでなく、演奏に自分が参加したい場合などはあえて「マイナスワン」しない「参加型」いわゆる「プラスワン」の楽しみ方もある。
【００１３】
音声においてオリジナルの歌手に置き換わるカラオケ歌唱中の背景映像として、オリジナルの歌手の視点での映像が表示されるカラオケがあれば、より置き換わった感覚が得られるのではないか、と出願人は考えていた。
【課題を解決するための手段】
【００１４】
そこで、音声の「マイナスワン」と同時に視聴する映像においても、本人映像のみを除いた「マイナスワン」を実現するために、本発明の請求項１は、
１乃至複数のパートからなる楽曲のカラオケにおいて、
特定のパートを利用者が演奏する場合に、あらかじめ録画された当該特定のパート以外の演奏中映像を当該パートの撮影視点で、当該パートの音声を除いた音声とともに視聴することにより
当該録画された演奏の特定パートだけが自分に入れ替わって演奏している感覚を楽しむことができることを特徴とするネットワークカラオケシステムである。
【００１５】
また本発明の請求項２は、
１乃至複数のパートからなる楽曲のカラオケにおいて、
あらかじめ録画された全パートの演奏者の演奏中映像を追加された仮想的な演奏者の撮影視点で、前記全パートの音声とともに視聴することにより、
当該録画された演奏者たちに自分が加わって演奏している感覚を楽しむことができることを特徴とするネットワークカラオケシステムである。
【００１６】
また、抜けたパートの視点で見た映像を表示する手段として、演奏中の様子を全方位撮影した映像をＶＲ用ヘッドマウントディスプレイ（ＨＭＤ）を用いて見る事が有効であることに着目した本発明の請求項３は、
前記請求項１乃至２記載のカラオケシステムにおいて、
録画された映像が前記撮影視点から見た全方位映像であり、
演奏者がＶＲヘッドマウントディスプレイ（ＨＭＤ）を装着することにより当該全方位映像を楽しむことができることを特徴とする請求項１乃至２記載のネットワークカラオケシステムである。
【発明の効果】
【００１７】
本発明によれば、複数の楽器や歌手と共演する楽曲を演奏する際にも、実際にプロの演奏家や歌手と共演している感覚を楽しむことができる。
【図面の簡単な説明】
【００１８】
【図１】本発明の実施例に係る録画時のイメージ図１。
【図２】本発明の実施例に係る録画時のイメージ図２。
【図３】本発明に係るカラオケ演奏の例１。
【図４】本発明に係るカラオケ演奏の例２。
【発明を実施するための形態】
【００１９】
図１は、本発明の実施に係る前提として、あらかじめ演奏映像を撮影するイメージである。ここでは、ギター１、ボーカル５、ドラムス２、キーボード３により演奏する楽曲において、ボーカル視点のカメラ４で他の楽器の演奏風景を撮影し、右図では、ギターの視点で演奏風景を撮影している。
【００２０】
図３では、図１で撮影されたボーカル視点の映像を、歌唱者がＨＭＤを装着して視聴しながら歌唱する例である。
【００２１】
一方、図２は、図１と同じ楽曲編成で、こちらはギター視点のカメラ４でドラムス２、キーボード３、ボーカル５の演奏風景を撮影している。
【００２２】
図４は、図２で撮影されたギター演奏者視点の映像を、ギター演奏者がＨＭＤを装着して視聴しながら演奏する例である。
【００２３】
本実施例では、音声映像とも１パートを除くマイナスワンの例と、音声映像ともマイナスワンしない全パートを録音録画される例を示したが、いわゆる「エアギター」のような演奏する「形」のみ真似したい場合には、映像のみマイナスワンで、音声のみ全パート録音する形であってもよい。
【符号の説明】
【００２４】
１・・・ギター
２・・・ドラムス
３・・・キーボード
４・・・カメラ
５・・・ボーカル
【図１】
2018022121.tif 000003
【図２】
2018022121.tif 000004
【図３】
2018022121.tif 000005
【図４】
2018022121.tif 000006